(57)【要約】【課題】本発明は、コンクリート床版に埋め込まれているボルトを、ナットを残して、ボルトだけを交換する際、ナットがボルトと共回りを起こした場合、ナットの共回りを防止してボルトを交換する工法を得ることを目的とする。【解決手段】コンクリート床版に埋め込まれたボルトの交換工法であって、ボルトの頭部を落とし、連結板、鋼製桁、座金を貫通してナットまで達するピン孔を穿孔し、該ピン孔に回り止めピンを差し込んでナットの回り止めを施し、頭部を落としたボルトの軸部に、その軸方向に先孔きり孔を穿孔し、該先孔きり孔に破断ボルト除去工具を打ち込み、該破断ボルト除去工具を、ボルトのねじ方向と逆回しして、ナットを残し、ボルトを抜き取り、新しいボルトと交換するようにした。【選択図】　　　図３
2004084170.tif 000002
【特許請求の範囲】
【請求項１】
ボルトの頭部を落とし、連結板、鋼製桁、座金を貫通してナットまで達するピン孔を穿孔し、該ピン孔に回り止めピンを差し込んでナットの回り止めを施し、頭部を落としたボルトの軸部に、その軸方向に先孔きり孔を穿孔し、該先孔きり孔に破断ボルト除去工具を打ち込み、該破断ボルト除去工具を、ボルトのねじ方向と逆回しして、ナットを残して、ボルトを抜き取り、新しいボルトと交換することを特徴とするコンクリート床版に埋め込まれたボルトの交換工法。
【請求項２】
ボルトの頭部を落とし、鋼製桁のフランジ、座金を貫通してナットまで達するピン孔を穿孔し、該ピン孔に回り止めピンを差し込んでナットの回り止めを施し、頭部を落としたボルトの軸部に、その軸方向に先孔きり孔を穿孔し、該先孔きり孔に破断ボルト除去工具を打ち込み、該破断ボルト除去工具を、ボルトのねじ方向と逆回しして、ナットを残して、ボルトを抜き取り、新しいボルトと交換することを特徴とするコンクリート床版に埋め込まれたボルトの交換工法。
【請求項３】
インチサイズのボルトが使用されている場合に、新しいボルトとして、ボルト頭部およびボルト軸部をメートルサイズに加工され、ボルトねじ部にインチサイズのねじを形成したボルトを使用することを特徴とする請求項１または請求項２に記載のコンクリート床版に埋め込まれたボルトの交換方法。
【請求項４】
複数本のピン孔を穿孔し、該ピン孔に複数本の回り止めピンを差し込んでナットの回り止めを施すようにしたことを特徴とする請求項１または請求項２または請求項３に記載のコンクリート床版に埋め込まれたボルトの交換方法。
【発明の詳細な説明】
【０００１】
【発明の属する技術分野】
本発明は、コンクリート床版に埋め込まれたボルトの交換工法に係わるものであって、特に、ナットを残し、ボルトだけを取り替える際に、ナットが共回りするのを防止して交換する工法に係わるものである。
【０００２】
【従来の技術】
一般に、橋梁や高架道路等において、鋼製桁にコンクリートを打設して形成する場合、鋼製桁は工場で製造されるが、輸送の制約上、１０ｍ程度に分割されて輸送され、現地でボルト止めして連結されている。
そして、この鋼製桁にコンクリートを打設してコンクリート床版が形成されるので、この鋼製桁を連結する高力ボルトの一部はコンクリート床版に埋め込まれた状態になっている。
【０００３】
このボルトは、例えば、橋梁の桁連結用に使用されるボルトは、昭和５４年のＪＩＳ規格改訂時までは、Ｆ１１Ｔボルトが使用されていた。
しかし、該Ｆ１１Ｔボルトは耐遅れ破壊性（年数が経ってから、破壊が生じる現象）に問題があり、現在は耐遅れ破壊性に対し優れるＦ１０Ｔボルトが使用されるようになっている。
【０００４】
このため、過去に製作された橋梁のボルトを、Ｆ１０Ｔボルトに取り替える作業が行われている。
このボルトの取り替え作業において、図１に示すように、ボルト頭部、ナットとも開放された状態にある、連結部の腹部や底部のボルト４Ａについては単純に新しいボルト、ナットに取り替えればよく、全く問題はない。
【０００５】
しかし、連結部の上面でコンクリート床版に埋め込まれた状態にあるボルト４Ｂについては、その取り替えが困難である。
例えば、図６（Ａ）、（Ｂ）に示すようにコンクリート床版を、床版上面から、あるいはハンチ部からはつり取って、取り替えることが考えられるが、この場合工事中交通を規制せざるを得ないし、また、ボルトを取り替えた後には、はつり取った部分に再度コンクリートを埋め戻す作業も必要であって、手間、時間、コストが掛かる作業となるため、一般には採用されていない。
【０００６】
そこで、コンクリート床版に埋め込まれたボルト４Ｂについては、ナットはそのまま残し、ボルトだけを取り替える方法が考えられ、採用されている。この方法だと、工事中にも交通を規制する必要はないし、コンクリート床版をはつり取ると云う作業もなく、開放部のボルト４Ａの取り替えと同様に簡単な作業で済むことになる。
【０００７】
ところが、ある程度使用年数が経ったボルトとナットは錆び付き等により、ボルトを取り外すため、緩める方向に回転させても、ナットがボルトと共回りすることがあり、ボルトを抜けないと云う事態が発生する。
ナットが共回りするときには、コンクリート床版をはつり取り、ナットをスパナ等で押さえてボルトを抜くことになるが、これは前述の通り大変な作業になることから、この部分のボルトは、殆ど取り替えられない状態であった。
【０００８】
【発明が解決しようとする課題】
本発明は、コンクリート床版に埋め込まれているボルトを、ナットを残して、ボルトだけを交換する際、ナットがボルトと共回りを起こした場合、ナットの共回りを防止してボルトを交換する工法を得ることを目的とする。
【０００９】
【課題を解決するための手段】
コンクリート床版に埋め込まれたボルトの交換工法であって、ボルトの頭部を落とし、連結板、鋼製桁、座金を貫通してナットまで達するピン孔を穿孔し、該ピン孔に回り止めピンを差し込んでナットの回り止めを施し、頭部を落としたボルトの軸部に、その軸方向に先孔きり孔を穿孔し、該先孔きり孔に破断ボルト除去工具を打ち込み、該破断ボルト除去工具を、ボルトのねじ方向と逆回しして、ナットを残し、ボルトを抜き取り、新しいボルトと交換するようにした。
【００１０】
また、連結板を用いず、鋼製桁がフランジ連結されているときは、鋼製桁のフランジと座金を貫通してナットまで達するピン孔を穿孔するようにした。
さらに、インチサイズのボルトが使用されているときは、ボルト頭部とボルト軸部はメートルサイズに加工され、ボルトねじ部にインチサイズのねじを形成したボルトを使用するようにした。
【００１１】
【発明の実施の形態】
以下図に沿って本発明の実施の形態について説明する。図１はコンクリート床版を有する橋梁の横断面概略図、図２は同要部拡大図、図３は本発明によるナットの回り止めを施す状態を示す図、図４は同ボルトを抜き取る状態を示す図、図５はインチサイズのねじを有するボルトを示す図である。
【００１２】
図において、１は鋼製桁であり、２は鋼製桁１上にコンクリートを打設して形成されたコンクリート床版である。３は鋼製桁１の連結部に当てがわれる連結板であって、鋼製桁１は連結板３に挟まれた状態で、ボルト４を通され、締結されて、分割された鋼製桁１が連結される。
【００１３】
なお、構造によっては連結板３を使用せず、分割された各鋼製桁１の両端にフランジを形成し（図示せず）、フランジ同士をボルト４で締結し、フランジ連結する場合もある。
また、コンクリート床版２に埋め込まれたボルトを４Ｂとし、開放されたボルトは４Ａで表示した。
【００１４】
まず、図３に示すナットの回り止めを施す作業について説明する。最初にボルト４Ｂの頭部４１をガス切断などで、これを外側（コンクリート床版２と反対側）の連結板３の表面に沿って落とす。
ボルト頭部４１を落とした後から、ドリルで連結板３，鋼製桁１、座金４５を貫通し、ナット４４にまで達するピン孔５を穿孔する。そして、該ピン孔５に回り止めピン６を挿入してナット４４の回り止めを施す。
【００１５】
鋼製桁１がフランジ連結されているときは、ピン孔５は鋼製桁１のフランジと座金を貫通し、ナット４４にまで達する孔が穿孔される。
なお、図において回り止めピン６は２本挿入されているが、このように複数本挿入することによって、より確実にナット４４の回り止めが施される。
【００１６】
次に、図４に示すボルトの抜き取り作業について説明する。ボルト頭部４１を落としたボルト４Ｂのボルト軸部４２に、その軸方向にきり工具で先孔きり孔７を穿孔する。図４（Ａ）。
そして、該先孔きり孔７に、ねじテーパ状の先部を有する破断ボルト除去工具８を打ち込み、ボルト軸部４２に破断ボルト除去工具８を強固に接続する。図４（Ｂ）。
この状態で、該破断ボルト除去工具８をスパナ等で、ボルト４Ｂのねじ向きと逆回しして、ナット４４は残し、ボルト４Ｂだけを抜き取る。図４（Ｃ）。
【００１７】
このようにして、コンクリート床版２に埋め込まれたボルト４を交換する際、ナット４４が共回りする場合は、ナット４４に回り止めを施して、ボルト軸部４２を抜き取り、抜き取ったあとに新しいボルト４Ｂをねじ込んで締結する。
従って、コンクリート床版２をはつり取ることもなく、ナット４４は残し、ボルトだけを新しいボルト４Ｂに交換できる。
なお、ピン孔５に挿入した回り止めピン６はそのまま埋め殺しにする。
【００１８】
ところで、昭和３０年代までに製作された橋梁等ではインチサイズのボルトが使用されている。従って、この場合は、残したナットと螺合させるためインチサイズのボルトを使用する必要がある。
しかし、現在は一般にメートルサイズのボルトが使用されており、インチサイズのボルトは使用されておらず、製造もされていない。
【００１９】
このため、インチサイズのボルトを新たに製造するとなると、その製造ラインから設備しなければならず、コストが極めて高価になるし、長納期を要することになる。
そこで、現在製造されているメートルサイズのボルト母材を使用し、インチサイズの転造ダイスなどのねじ加工工具をメートルサイズのボルト製造ラインに取り付けて、図５に示すようにボルト頭部４１，ボルト軸部４２をメートルサイズに加工し、ボルトねじ部４３に、インチサイズのねじ加工工具によって、インチサイズのねじを形成したボルトを製造し、このインチサイズのねじを有するボルトと交換することができる。
【００２０】
このインチサイズのねじを有するボルトは、新しくインチサイズのねじ加工工具を準備するだけで、メートルサイズのボルト母材および製造ラインを利用して、メートルサイズのボルト並の低コスト，短納期で製造できる。
また、このインチサイズのねじを有するボルトはボルトねじ部４３にだけ、インチサイズのねじを加工するものであるので、ボルトの締め付けには、一般に使用されているメートルサイズのボルト用の締付機が使用できる。
【００２１】
【発明の効果】
本発明は、コンクリート床版に埋め込まれたボルトを交換する際、ナットが共回りする場合であっても、コンクリート床版をはつり取ることなく、ナットに回り止めを施して、ナットを残し、ボルトだけを引き抜いて交換することができるようになった。
【図面の簡単な説明】
【図１】コンクリート床版を有する橋梁の横断面概略図。
【図２】同要部拡大図。
【図３】本発明によるナットの回り止め状態を示す図。
【図４】同ボルトの引き抜き状態を示す図。
【図５】本発明によるインチサイズのねじを有するボルトの例を示す図。
【図６】コンクリート床版をはつり取る状態を示す図。
【符号の説明】
１　鉄骨桁　　　　　　　　　　　２　コンクリート床版
３　連結板　　　　　　　　　　　４　ボルト
５　ピン孔　　　　　　　　　　　６　回り止めピン
７　先孔きり孔　　　　　　　　　８　破断ボルト除去工具
４１　ボルト頭部　　　　　　　　４２　ボルト軸部
４３　ボルトねじ部　　　　　　　４４　ナット
４５　座金
【図１】
2004084170.tif 000003
【図２】
2004084170.tif 000004
【図３】
2004084170.tif 000005
【図４】
2004084170.tif 000006
【図５】
2004084170.tif 000007
【図６】
2004084170.tif 000008